(57)【要約】【課題】  特に夏場の日差しが車内に射さないようにするための、取り付け取り外しが簡単な自動車用の日除けを提供したい。【解決手段】  アルミニウム箔を貼り合わせて成る発泡ポリエチレンのシート状体は、自動車のルーフに載せる天部１３と、前後左右のウインドガラスを覆うための前窓部１４、後窓部１５、左右の側窓部１６、摘み部１７となる四隅の方形の部分とから成る。また摘み部１７にはこれを固定するためのホック雌２およびホック雄２０を有する。またこのように構成された日除け１はこれをウインドガラスに固定させるための吸盤３を有する。【選択図】図１
2019034706.tif 000002
【特許請求の範囲】
【請求項１】
自動車の少なくともウインドガラス部分を日除けとして覆い得る大きさを有する一枚のシート状体であって、これを自動車のルーフから被せてウインドガラス部分を覆い、自動車の前後左右の４か所のピラーに相当する部位に生ずる余り布の部分を摘まんで摘み部分を作り箱状体を形成した時に、この摘み部分を止めて前記箱状体の形を維持するための止め具を備えている、自動車の日除け。
【請求項２】
前記シート状体と、このシート状体に後から取り付ける前記止め具と、の組から成る、請求項１に記載の自動車の日除け。
【請求項３】
前記止め具が、前記摘み部分の内側の、ピラーに近い部位に設けられたホックまたは面ファスナーである、請求項１または請求項２に記載の自動車の日除け。
【請求項４】
前記止め具が、前記摘み部分を折った時に、摘み部分と前記箱状体とが接触する部位に設けられたホックまたは面ファスナーである、請求項１または請求項２に記載の自動車の日除け。
【請求項５】
前記シート状体を折り畳んでまたは巻いて手で提げるための持ち手を備えている、請求項１または請求項２に記載の自動車の日除け。
【請求項６】
前記箱状体が風で飛ばないようにするための、自動車側に吸着させるための吸盤または磁石を備えている、請求項１または請求項２に記載の自動車の日除け。
【請求項７】
前記箱状体が風で飛ばないようにするための、自動車側に係止させるための鉤部またはペグを備えている、請求項１または請求項２に記載の自動車の日除け。
【請求項８】
前記箱状体に自動車のナンバーを表すためのネームプレートを備えている、請求項１または請求項２に記載の自動車の日除け。
【発明の詳細な説明】
【技術分野】
【０００１】  この発明は、特に夏場の日差しが車内に射さないようにするための、取り付け取り外しが簡単な自動車の日除けに関する。
【背景技術】
【０００２】  炎天下に自動車を駐車させておくと、車内がものすごい暑さになっていることが多々ある。車内に熱気が充満しているのみならず、ダッシュボードやハンドルや本革シートなどがまるで火傷をしてしまうのではないかと感じる位に熱くなる。【０００３】  このようなことを少しでも軽減しようと、フロントウインドガラスや左右のドアのウインドガラスに覆いを付けてみるも殆ど効果がない。太陽電池でファンを回す換気扇をドアのウインドガラスに隙間を開けて付けてみてもまずもって無駄である。自動車に乗り込むに先立ってドアを何度か開閉して熱気を追い出すことが推奨されているが、これも手間の割には気休め程度の効果しかない。
【発明の概要】
【発明が解決しようとする課題】
【０００４】  この原因を良く調べてみると、窓から射す日光やアスファルトからの反射によるものであり、屋根が日射で熱くなることによるものであることが分かる。これ等が締め切られた車内を高温の状態にするのである。【０００５】  従ってこのような問題を体感できる程に軽減することは出来ないだろうか、と言うのがこの発明の課題である。
【課題を解決するための手段】
【０００６】  上記課題の解決に先立ち当発明者は、フロントやリヤーのウインドガラスや左右のドアのウインドガラスに覆いを掛けること、好ましくはルーフ（屋根）にも覆いを掛けることによって直射日光や反射光を遮り、車内に入れないようにするのが最善であるとの結論に至った。なおこの覆いを掛けたり外したりする作業は、誰にでも簡単なものでなくては、この方式を普及させることは難しいであろう。【０００７】  上記課題は、自動車の少なくともウインドガラス部分を日除けとして覆い得る大きさを有する一枚のシート状体であって、これを自動車のルーフから被せてウインドガラス部分を覆い、自動車の前後左右４角のピラーに相当する部位に生ずる余り布の部分を摘まんで摘み部分を作り箱状体を形成した時に、この摘み部分を止めて前記箱状体の形を維持するための止め具を備えている、自動車の日除けを提供することにより達成される。【０００８】  この発明の自動車の日除けは一枚のシート状体であるから、収納に便利である。使用時はこれを広げてルーフに被せ、その前後左右の部位でウインドガラス部分を覆い、余り布の部分を摘まんで摘み部分を作り箱状体を形成し、止め具を用いて摘み部分を止めて前記箱状体の形を維持させる。あるいは一枚のシート状体から摘み部分を作り、止め具を用いて摘み部分を止めて箱状体の形を作ってから、自動車のルーフに被せると言う手順が可能となるようにこの発明を構成することが出来る。なお自動車の少なくともウインドガラス部分を日除けとして覆い得るとは、ルーフに付いてはこれを覆うように構成しても良いし覆わないように構成しても良く、また覆う場合であってもこの部位に遮光性を持たせるか否かは自由設計であることを言う。しかしながらより好ましくはルーフ部分にも遮光性を持たせることである。なおガラス部分を覆うシート状体の素材に何を用いるかは設計者の自由である。合成樹脂シート、発泡性の合成樹脂シート、皮革、キルティング、布、ゴム引き布、防水紙等々を任意に採用して良い。これ等のシートの表面に反射加工を施すとなお良い。例えばアルミニウムを蒸着させてその薄膜を形成するのである。【０００９】  これにより前記箱状体で直射日光や反射光を遮って、車内に入れないようにすることが出来るから、車内の温度上昇を低減することが可能になる。ダッシュボードやハンドルや本革シートなどが焼けるのを防ぐことも出来る。そして自動車に乗り込む際には止め具を外して、箱状体を解消して元の一枚のシート状体に戻せば良いから、この後片付けは簡単である。一枚のシート状体はその素材にもよるが、一般的に丸めたり畳んだりすることが出来る。従ってこの発明の自動車の日除けは誰にでも容易に取り扱うことが出来て、所要の効果を上げ得るものとなっている。【００１０】  なお自動車のルーフに被せた状態の箱状体と、自動車のルーフとの間の、通気性を良くするための通気口をシート状体に設けるようにすることも好ましい。また自動車のルーフに被せた状態の箱状体と、自動車のルーフとの間に、空気流通のための空間が出来るようにスペーサを設けることも好ましい。あるいは上述したようにルーフを覆う場合であってこの部位に遮光性を持たせない場合に、この部位を例えば通気性��良い網で構成するようにしても良い。なお箱状体を自動車に留めるのにワイパーを利用する構成も可能である。【００１１】  次に上述した自動車の日除けは、前記シート状体と、このシート状体に後から取り付ける前記止め具と、の組から成るものとすることが出来る。【００１２】  自動車は車種ごとにルーフや、ルーフ周りのフロントやリヤーのウインドガラスや左右のドアのウインドガラスやピラーなどの形状が異なるため、この発明の自動車の日除けは車種に対応させたものを用意する必要がある。フリーサイズのものも提供することは可能ではあるが、適応車種が少数とならざるを得ず、やはり複数種類のものを用意する必要が出てくる。この問題の解決には請求項２の発明が一つの解となる。すなわち使用者の車種に合わせて使用者に箱状体を作らせるようにするのである。シート状体をルーフに被せ、その前後左右の部位でウインドガラス部分を覆って、余り布の部分を摘まんで摘み部分を作り箱状体を形成し、この摘み部分に後から止め具を取り付けてもらうのである。このようにして使用者の車種に合う箱状体の形を維持させることが出来る。【００１３】  止め具はホックまたは面ファスナーとすることが出来る。スナップはオス・メスの何れもシート状体を挟み付けるようにして取り付けるものがすでに提供されている。それをこの発明のシート状体に適用するのである。あるいは面ファスナーのオス・メス共に、その裏面に粘着剤と剥離紙とを付着させたものを、シート状体とセットにして提供するのである。この他のファスナー類やＴ字状のスイベルなどを任意に選択することが可能である。【００１４】  この止め具は、前記摘み部分の内側のピラーに近い部位に設けるようにすることが出来る。例えばホックであっても面ファスナーであっても、前記摘み部分の内側に設けてあるので、ホックをしたり面ファスナーを付けることで前記摘み部分の摘まんだ状態を保持して、止め具を用いない場合には壊れようとする箱状体を維持することが出来る。【００１５】  またこの止め具は、前記摘み部分を折った時に摘み部分と前記箱状体とが接触する部位に設けるようにすることが出来る。例えばホックであっても面ファスナーであっても、前記摘み部分を折って箱状体に重ねて、ホックをしたり面ファスナーを付けることで箱状体にした状態を保持して、止め具を用いない場合には壊れようとする箱状体を維持することが出来るのである。【００１６】  さてこの発明の自動車の日除けは一枚のシート状体であるから、収納に便利であるが、前記シート状体を折り畳んでまたは巻いて手で提げるための持ち手を備えているものとすることによって、更に便利なものとなる。一枚のシート状体は折り畳んだり巻いたりすることによってコンパクトにすることが出来る。そこに持ち手が付いているため、この発明の自動車の日除けを自動車のトランクや後部座席などから取り出す際に持ち手を掴むことが出来て便利である。もちろんガレージなどに持ち込む際にも役立つ。【００１７】  次に前記箱状体が風で飛ばないようにするための、自動車側に吸着させるための吸盤または磁石を備えているものとすることが出来る。これまで説明した構成でも所期の目的を果たすことは十分に可能なわけであるが、風で飛ばないようにしたいとするのであれば、吸着具例えば吸盤や磁石を備えるようにすることが好ましい。この発明の自動車の日除けを自動車のルーフから被せてウインドガラス部分を覆い、その後に、吸着具が吸盤であるならばウインドガラスに、また吸着具が磁石であるならばピラーやボディーに吸着させるようにすれば良い。なお吸盤や磁石は着脱が容易である。【００１８】  次に前記箱状体が風で飛ばないようにするための、自動車側に係止させるための鉤部またはペグを備えているものとすることが出来る。箱状体が風で飛ばないようにしたいとするのであれば、係止具例えば鉤部やペグを備えるようにすることが好ましい。鉤部は例えばゴム紐の先に取り付けて、ゴム紐の根元を箱状体に取り付けるようにする。そして鉤部をシャーシなどに掛止するのである。あるいは例えばペグは例えば紐の先に取り付けて、紐の根元を箱状体に取り付けるようにする。そしてペグを車輪の下に差し込むようにするのである。【００１９】  さてこの発明の自動車の日除けに自動車のナンバーを表すためのネームプレートを備えているものとしても良い。自動車のナンバープレートのナンバーをネームプレートにそのまま書き込むようにするのである。【００２０】  この箱状体のネームプレートに記されているものが正に自分の自動車であるから、この発明の日除けを取り付けている他者の同様の自動車との見分けが容易であると言う効果がある。さらに不心得者がこの日除けを拝借して、自分の自動車に被せたような場合には、この不心得者の自動車のナンバープレートのナンバーと、日除けのネームプレートに記されたナンバーとがまったく異なっていることが、誰にも一目瞭然となる。
【発明の効果】
【００２１】  この発明によれば、自動車のルーフからウインドガラス部分に簡単に掛けられて容易に取り外すことが出来る。シート状体から形成した箱状体で直射日光や反射光を遮って車内に入れることが少なくなるため、車内の温度上昇を低減することが出来る。
【図面の簡単な説明】
【００２２】
【図１】  実施例１を展開して平面視した説明図である。
【図２】  実施例１を組み立てた説明図である。
【図３】  実施例１の使用状態を表す説明図である。
【図４】  実施例２を展開して平面視した説明図である。
【図５】  実施例３を組み立ててその一角を底面視した説明図である。
【図６】  実施例４の折り畳み状態の説明図である。
【図７】  実施例５の使用状態を表す説明図である。
【図８】  実施例６を展開して平面視した説明図である。
【発明を実施するための形態】
【００２３】  以下では折り紙に於ける山折り線や谷折り線と言った用語を用いている。上述したようなシート状体の素材によっては、折るのではなく、曲げたり、シート状体それ自体の重さで曲がったりすることがある。そのような場合であっても山折りや谷折りと言った用語を用いることにする。
【実施例１】
【００２４】  図１乃至図３によりこの実施例を説明する。日除け１は一般的に緩衝材や保冷材や保温材などとして用いられる発泡ポリエチレン（Ｅｘｐａｎｄｅｄ  Ｐｏｌｙ−Ｅｔｈｙｌｅｎｅ）にアルミニウム箔を貼り合わせて成る断熱材のシート状体である。またこの日除け１は特定車種向けの製品である。一枚のシート状体には太陽に向ける面であるアルミニウム箔の側に、曲げる方向の目安としての山折り線１０、谷折り線１１、山折り線１２が設けられている。なお後述する摘み部１７が形成された状態を保つためのホック雌２とホック雄２０とが、シート状体の四隅に形成される方形の部分に取り付けられている。また後々この自動車の両側の側面のウインドガラスを覆う部位となる側窓部１６には、この部位をウインドガラスに吸着させて、本日除け１がルーフから外れないようにするための吸盤３を備えている。【００２５】  図１はこの日除け１を平面視したものであるが、これを特定の自動車のルーフに被せた状態を図３に表す。而してこの状態に至るには、天部１３をルーフに載せ上げた後、上述の山折り線１０、谷折り線１１、山折り線１２を目安として曲げ（実際にはシート状体を各ウインドガラスに副わせるようにする）、例えば自動車の左側のウインドガラスに左側となる側窓部１６を副わせて、この状態を保たせるべく吸盤３（Ａ）をウインドガラスに吸着させる。次に反対側（右側）のウインドガラスに右側となる側窓部１６を副わせて、吸盤３（Ｂ）をウインドガラスに吸着させる。次に前窓部１４をフロントウインドガラスに副わせ、後窓部１５をリヤーウインドガラスに副わせるようにする。なお前窓部１４や後窓部１５は各々のウインドガラスにぴたりと副うとは限らず、浮く場合がある。【００２６】  この時にシート状体の四隅の方形の部分は、山折り線１２の部分が突出して摘み部１７が形成された状態となるので、前窓部１４と後窓部１５とがウインドガラスに副っている状態を保つことが出来るように、すなわち日除け１がキャップとしてルーフに被っている状態を保つことが出来るように、ホック雌２をホック雄２０に掛止させるのである。このことはルーフを上方から見下ろした図２に表れている。【００２７】  このように日除け１を以てすれば、フロントウインドガラス、リヤーウインドガラス、左右のドアのウインドガラスを簡単に覆うことが出来る。この取り付け作業は極めて容易であり、また取り外しも楽である。日除け１が各々のウインドガラスを覆うと、太陽光は日除け１によって遮られ、室内に入り込む量は隙間からの極僅かなものとなる。
【実施例２】
【００２８】  図４によりこの実施例を説明する。日除け４はゴム引き布製のシート状体と、止め具としての面ファスナー雌２１や面ファスナー雄２２、日除け４が風で飛ばないように自動車側に吸着させるためゴム磁石３０と、のセットに成るものである。シート状体は万能ではないもののサイズが近い幾つかの車種に適用し得るように構成されている。【００２９】  すなわちシート状体の中央部分に自動車のルーフに合わせるための天部目安枠４５が、またこの天部目安枠４５に続き、フロントウインドガラス、リヤーウインドガラス、左右のドアのウインドガラスを覆う窓部４０が設けられており、その外側には各々５本ずつの前案内線４１、後案内線４２、側案内線４３、側案内線４４が設けられている。【００３０】  この自動車の日除けセットの用い方は以下の通りである。天部目安枠４５に合わせるようにしてシート状体をルーフに載せ上げると、その周囲は自然と各ウインドガラスに副って垂れ下がるようになる。そこで上述した前案内線４１、後案内線４２、側案内線４３、側案内線４４を、ボディーの下のラインに合わせるようにして切断する。ゴム磁石３０にはその裏面に図示しない粘着剤と剥離紙とが設けられているので、剥離紙を剥して現われる粘着剤によって、シート状体の裏側（自動車側）の上記切断した辺りに接着させ、これを以て日除け４を自動車に固定する。【００３１】  続いて、実施例１の場合と同じように、シート状体の四隅の部分には図示しない摘み部が形成された状態となるので、この状態を保つことが出来るように、面ファスナー雌２１と面ファスナー雄２２とを、図示はしないがその裏面の剥離紙を剥して現われる粘着剤により、実施例１でホック雌２とホック雄２０とを設けた位置に接着させる。【００３２】  なお使用者にこれ等の作業を行わせるのは初回のみである。２度目からは、シート状体をルーフに載せ上げる際に天部目安枠４５をルーフに合わせるようにし、左右のドアの側でゴム磁石３０のある部位をボディーの下側に吸着させてシート状体を自動車に固定し、シート状体の四隅の部分に摘み部を作って、面ファスナー雌２１と面ファスナー雄２２とを接着させる作業を行うだけである。
【実施例３】
【００３３】  図５によりこの実施例を説明する。日除け５はその殆どの構成を実施例１の日除け１に倣うものであるが、ホック雌２３およびホック雄２４の取り付け位置で異なるものとなっている。この図は自動車に被せた日除け５の前左側の一角を底面視したものである。【００３４】  天部５３をルーフに載せ上げた後、山折り線５０などを目安としてシート状体を各々のウインドガラスに副わせ、前窓部５４をフロントウインドガラスに副わせ、側窓部５６を左側のドアのウインドガラスに副わせるようにする。【００３５】  この時に前左側の部分は山折り線５２が突出して摘み部５７が形成された状態となる。この摘み部５７はそのまま側窓部５６の方に倒して、例えばホックなどの止め具で側窓部５６に固定することも可能であるが、この実施例では摘み部５７を外方に突出させるのではなく、内方の側窓部５６の内側に入れ込むようにして、摘み部５７と側窓部５６とを、摘み部５７の側に取り付けたホック雌２４を側窓部５６の側に取り付けたホック雄２３に掛止させることにより固定するのである。
【実施例４】
【００３６】  図６によりこの実施例を説明する。日除け６はその殆どの構成を実施例１の日除け１に倣うものであるが、シート状体６０のフロントウインドガラスに副わせる側の前縁部分にカバー部６１を延設し、これに持ち手６２を取り付けた点に特徴を有する。【００３７】  シート状体６０を自動車のルーフから取り外した後、シート状体６０をファッション柄（図示せず）のある裏面を表側にして、うまく折り畳んでカバー部６１で巻き、カバー部６１をシート状体６０に鎖線で表した面ファスナー６３で止めるようにする。【００３８】  この構成により、日除け６を自動車のトランクや後部座席などから取り出す際に、あるいはガレージなどに持ち込む際に、持ち手６２を掴むことが出来て便利になる。なおこのカバー部６１に上述のネームプレートを設けるようにしても良い。符号６４が指すも鎖線で表した部位がネームプレートである。なおシート状体６０はこれを折り畳むのではなく巻くような構成とすることが出来る。
【実施例５】
【００３９】  図７によりこの実施例を説明する。日除け７はその殆どの構成を実施例１の日除け１に倣うものであるが、日除け７を自動車に固定するのに、実施例１の吸盤３を用いるのではなく、ペグ３１とワイヤー３２とを用いている点に特徴を有する。【００４０】  この図は実施例５の使用状態を左側から側面視して表した説明図であって、日除け７に天部７３と前窓部７４と後窓部７５と側窓部７６と摘み部７７とが表されている。さらに天部７３の裏面に発泡スチロール製の断熱部７８が取り付けられている。このスペーサとしての断熱部７８によって日除け７が自動車のルーフに直接触れることなく、ルーフから浮くことになる。【００４１】  天部７３を上述した断熱部７８を使用してルーフに載せ上げた後、シート状体を各々のウインドガラスに副わせ、前窓部７４をフロントウインドガラスに副わせ、後窓部７５をリアウインドガラスに副わせ、側窓部７６をドアのウインドガラスに副わせ、摘み部７７を形成してホック雄２０で固定する。この際に側窓部７６の下縁部分に取り付けられているワイヤー３２を自動車ＣのタイヤＴまで延ばして、ワイヤー３２の先のペグ３１を使ってタイヤＴの下に押し込むようにすると、日除け７の自動車Ｃへの固定が完了する。なお図示しないが、右側の側窓部にもペグ３１とワイヤー３２とが取り付けられているので、同様の作業を行うようにする。【００４２】  なおこの実施例のペグ３１とワイヤー３２との組以外にも、図示はしないがワイヤーと鉤部との組合せを用いて、鉤部でタイヤハウスの縁部などに掛止して固定するような構成も可能である。
【実施例６】
【００４３】  図８によりこの実施例を説明する。日除け８は発泡ポリエチレン（ＥＰＥ）にアルミニウム箔を貼り合わせて成る断熱材のシート状体である。一枚のシート状体には太陽に向ける面であるアルミニウム箔の側に、曲げる方向の目安としての山折り線８０、谷折り線８１、山折り線８２が設けられている。なお摘み部８７が形成された状態を保つためのホック雌２とホック雄２０とがシート状体の四隅に形成される方形の部分に取り付けられている。また後々この自動車の両側の側面のウインドガラスを覆う部位となる側窓部８６には、この部位をウインドガラスに吸着させて、本日除け８がルーフから外れないようにするための吸盤３を備えている。また自動車のルーフに載る天部８３はその中央部分にメッシュ状の通気ネット８９が張られており、日除け８内の通気口となっている。なお通気口は単なる丸孔や切れ込みや鎧戸的な構成のものでも良いが、この実施例ではメッシュを採用している。【００４４】  天部８３をルーフに載せ上げた後、上述の山折り線８０、谷折り線８１、山折り線８２を目安として曲げ、前窓部８４、後窓部８５、側窓部８６の各々をウインドガラスに副わせるようにし、この状態を保たせるべく吸盤３（Ａ）、３（Ｂ）をウインドガラスに吸着させる。シート状体の四隅の方形の部分は、山折り線８２の部分が突出して摘み部８７が形成された状態となる。【００４５】  上記前窓部８４と後窓部８５とには、使用者が自動車のナンバーを油性の筆記具で書き込むための、白色のネームプレート８８が取り付けられている。なおネームプレートのことは実施例４のカバー部６１の所でも説明した。
【産業上の利用可能性】
【００４６】  この発明はトラックの運転台に適合するように構成することが出来る。また一人乗り用の電気自動車に適合するようにも構成し得る。なお光センサを車内に設けることで、この発明の日除けと併せて盗難防止装置を構成することも可能である。
【符号の説明】
【００４７】１    日除け      １０  山折り線    １１  谷折り線        １２  山折り線
１３  天部        １４  前窓部      １５  後窓部          １６  側窓部
１７  摘み部
２    ホック雌    ２０  ホック雄    ２１  面ファスナー雌  ２２  面ファスナー雄
２３  ホック雌    ２４  ホック雄
３    吸盤        ３０  ゴム磁石    ３１  ペグ            ３２  ワイヤー
４    日除け      ４０  窓部        ４１  前案内線        ４２  後案内線
４３  側案内線    ４４  側案内線    ４５  天部目安枠
５    日除け      ５０  山折り線    ５２  山折り線        ５３  天部
５４  前窓部      ５６  側窓部      ５７  摘み部
６    日除け      ６０  シート状体  ６１  カバー部        ６２  持ち手
６３  面ファスナー                  ６４  ネームプレート
７    日除け      ７３  天部        ７４  前窓部          ７５  後窓部
７６  側窓部      ７７  摘み部      ７８  断熱部
８    日除け      ８０  山折り線    ８１  谷折り線        ８２  山折り線
８３  天部        ８４  前窓部      ８５  後窓部          ８６  側窓部
８７  摘み部      ８８  ネームプレート                    ８９  通気ネット
【図１】
2019034706.tif 000003
【図２】
2019034706.tif 000004
【図３】
2019034706.tif 000005
【図４】
2019034706.tif 000006
【図５】
2019034706.tif 000007
【図６】
2019034706.tif 000008
【図７】
2019034706.tif 000009
【図８】
2019034706.tif 000010